(57)【要約】 【課題】  番組の内容を精度よく認識して視聴者の目的とする番組か否かを判別し、目的とする放送波を正確に選択して視聴できる放送波選択用受信システム及びその方法を提供することを目的とする。  【解決手段】  番組に登場する所望の人物の音声データを予め登録する音声データ登録部７と、複数の放送番組を同時に受信するチューナ１と、音声データ登録部７に登録されている音声データとチューナ１で受信されて得られた音声データとを比較し同一性を判別する判別部８と、前記判別部８により同一性の判別結果が得られた番組を選択する選択部２とを備えてなる。【選択図】    図１
2006013936.tif 000002
【特許請求の範囲】
【請求項１】
番組に登場する所望の人物の音声データを登録する音声データ登録手段と、複数の放送番組を同時に受信する受信手段と、前記受信手段で受信された複数の放送番組中から単一のチャンネルを選択する選択手段と、前記選択手段で選択されたチャンネルの放送番組を再生する再生手段と、前記音声データ登録手段に登録されている音声データと前記選択手段で選択され再生手段で再生されたチャンネル以外のチャンネルの音声データとを比較し同一性を判別する判別手段と、前記判別手段により同一性の判別結果が得られた状態において他の人物との音声データとのレベルを比較して前記所望の人物の音声データの方が大きい場合に第1の検出信号を発生し、小さい場合に第２の検出信号を発生する検出手段と、前記検出手段により第1の検出信号が得られたときに前記再生手段において前記所望の人物の登場するチャンネルの表示を行い、前記第２の検出信号が得られたときに前記選択手段において他のチャンネルの音声データを前記判別手段に供給するように制御する制御手段とを備えてなることを特徴とする放送波選択用受信システム。
【請求項２】
番組に登場する所望の人物の音声データを登録する音声データ登録手段と、複数の放送番組を同時に受信する受信手段と、前記音声データ登録手段に登録されている音声データと前記受信手段で受信されて得られた音声データとを比較し同一性を判別する判別手段と、前記判別手段により同一性の判別結果が得られた番組を選択する選択手段とを供えてなることを特徴とする放送波選択用受信システム。
【請求項３】
番組に登場する所望の人物の音声データを登録する段階と、受信手段により同時に複数の放送番組を受信し当該複数の放送番組中から単一のチャンネルを選択して再生手段により再生する段階と、前記登録された音声データと前記再生手段で再生されているチャンネル以外のチャンネルの音声データとを比較し同一性を判別する段階と、前記同一性の判別結果が得られた状態において他の人物との音声データとのレベルを比較して前記所望の人物の音声データの方が大きい場合に第1の検出信号を発生させ、小さい場合に第２の検出信号を発生させる段階と、前記第1の検出信号が得られたときに前記再生手段において前記所望の人物の登場するチャンネルの表示を行い、前記第２の検出信号が得られたときに他のチャンネルの音声データを前記判別手段に供給するように制御する段階とを備えてなることを特徴とする放送波選択用受信方法。
【請求項４】
番組に登場する所望の人物の音声データを登録する段階と、受信手段により同時に複数の放送番組を受信し当該複数の放送番組中から選んだチャンネルの音声データと前記登録された音声データとを比較し同一性を判別する段階と、前記判別結果により前記所望の人物の登場の有無を検出する段階とを供えてなることを特徴とする放送波選択用受信方法。
【発明の詳細な説明】
【技術分野】
【０００１】
本発明は、同時に放送されている複数のチャンネル中から所望のチャンネルを選択して受信する放送波選択用受信システム及びその方法に関し、特に、所望のチャンネルの選択が自動的になされるものに関するものである。
【背景技術】
【０００２】
従来、例えば、下記の特許文献１で示すように裏番組の重要度を判定して重要であると判定されると視聴側に切り換える技術が開示されている。具体的には、映像信号や音声信号よりなる番組を受信する受信装置が、複数の番組を同時に受信する受信処理部と音声分析による番組の重要度の判定処理を行なう判定処理部とを備えている。この判定処理部は、音声デコード部と音声処理部とよりなる。音声デコード部には音声データパケットが入力され、音声データのデコードが行なわれた後に音声処理部において番組の重要度が判定される。この判定基準は、例えば、スポーツの中継では試合が盛り上がってくるとアナウンサーや観客の声が高揚する。この状態を音量検出、音声の周波数分析、特定パターンの出現の有無等の結果で判定する。そして、重要な番組であると判定されると自動的に視聴可能に切り換えられ、重要な番組を見逃すことなく視聴できるようにしている。
【０００３】
また、従来技術として、下記の特許文献2で示すものが提案されている。これは、入力される音声と認識対象語彙との比較対照により入力される音声の単語を認識結果として出力する技術に関するものである。そして、認識対象語彙をユーザの嗜好情報に基づいて変更し絞込んで作成できるようにしたものである。例えば、オン・デ・マンド映画／カラオケ配信サービスの配信可能なメニューが数百万番組あった場合でも、ユーザの嗜好に合わせて音声認識対象語彙を絞り込んだ音声認識装置を使用して、受信要求する番組を音声選択することができるものである。
【特許文献１】特開２０００−２７０２７４号公報（段落〔００２０〕、段落〔００３２〕、段落〔００４１〕〜段落〔００４２〕）
【特許文献２】特開２００１−２８２２８５号公報（段落〔０００４〕、段落〔０００７〕、段落〔００３７〕）
【発明の開示】
【発明が解決しようとする課題】
【０００４】
しかしながら、従来技術にあっては、まだ、視聴者の目的とする番組の内容を直接的に認識して判断し番組の選択を行なうまでに至っていない。そのため、従来は精度の高い番組の選択を行なうことができないため、誤って選択された番組を視聴させられることがあり、視聴者にとって煩わしいという問題があった。
【０００５】
そこで、本発明は、番組の内容を精度よく認識して視聴者の目的とする番組か否かを判別し、目的とする放送波を正確に選択して視聴できる放送波選択用受信システム及びその方法を提供することを目的とする。
【課題を解決するための手段】
【０００６】
上記課題を解決するために、本願の請求項１に係る放送波選択用受信システムの発明は、番組に登場する所望の人物の音声データを登録する音声データ登録手段と、複数の放送番組を同時に受信する受信手段（例えば、チューナ１）と、前記受信手段で受信された複数の放送番組中から単一のチャンネルを選択する選択手段と、前記選択手段で選択されたチャンネルの放送番組を再生する再生手段（例えば、モニター３）と、前記音声データ登録手段に登録されている音声データと前記選択手段で選択され再生手段で再生されたチャンネル以外のチャンネルの音声データとを比較し同一性を判別する判別手段と、前記判別手段により同一性の判別結果が得られた状態において他の人物との音声データとのレベルを比較して前記所望の人物の音声データの方が大きい場合に第1の検出信号を発生し、小さい場合に第２の検出信号を発生する検出手段と、前記検出手段により第1の検出信号が得られたときに前記再生手段において前記所望の人物の登場するチャンネルの表示を行い、前記第２の検出信号が得られたときに前記選択手段において他のチャンネルの音声データを前記判別手段に供給するように制御する制御手段とを備えてなることを特徴とする。
【０００７】
また、本願の請求項２に係る放送波選択用受信システムの発明は、番組に登場する所望の人物の音声データを登録する音声データ登録手段と、複数の放送番組を同時に受信する受信手段と、前記音声データ登録手段に登録されている音声データと前記受信手段で受信されて得られた音声データとを比較し同一性を判別する判別手段と、前記判別手段により同一性の判別結果が得られた番組を選択する選択手段とを供えてなることを特徴とする。
【０００８】
また、本願の請求項３に係る放送波選択用受信方法の発明は、番組に登場する所望の人物の音声データを登録する段階（例えば、ステップＳ１〜ステップＳ７）と、受信手段により同時に複数の放送番組を受信し当該複数の放送番組中から単一のチャンネルを選択して再生手段により再生されているチャンネル以外のチャンネルの音声データとを比較し同一性を判別する段階（例えば、ステップＳ９〜ステップＳ１３）と、前記同一性の判別結果が得られた状態において他の人物との音声データとのレベルを比較して前記所望の人物の音声データの方が大きい場合に第1の検出信号を発生させ、小さい場合に第２の検出信号を発生させる段階（例えば、ステップＳ１４）と、前記第1の検出信号が得られたときに前記再生手段において前記所望の人物の登場するチャンネルの表示を行い、前記第２の検出信号が得られたときに他のチャンネルの音声データを前記同一性の判断に供給するように制御する段階（例えば、ステップ１５、ステップＳ１８）とを備えてなることを特徴とする。
【０００９】
また、本願の請求項４に係る包装は選択用受信方法の発明は、番組に登場する所望の人物の音声データを登録する段階（例えば、ステップＳ１〜ステップＳ７）と、受信手段により同時に複数の放送番組を受信し当該複数の放送番組中から選んだチャンネルの音声データと前記登録された音声データとを比較し同一性を判別する段階（例えばステップＳ９〜ステップ１３）と、前記判別結果により前記所望の人物の登場の有無を検出する段階（例えば、ステップＳ１４）とを供えてなることを特徴とする。
【発明の効果】
【００１０】
本願の請求項１に係る本発明の放送波選択用受信システムにおいては、予め音声データ登録手段に登録した所望の人物の音声データと受信された放送波の音声データとを判別手段により同一性を判別するだけでなく、検出手段により他の人物の音声データとを比較して重み付けを行ない、所望の人物がどの程度の役割にあるかを考慮に入れることができる。従って、、目的とする所望の人物が重要な役割として登場し視聴に値する番組だけを選択するので、視聴者にとって望ましいチャンネルの選択ができ、視聴者は常に快適な放送波を再生して視聴できる効果を有する。
【００１１】
また、本願の請求項２に係る本発明の放送波選択用受信システムにおいては、予め音声データ登録手段に登録した所望の人物の音声データと受信された放送波の音声データとを判別手段により同一性を判別し、この判別手段の判別結果に基づいて選定手段による所望の人物の登場する番組のチャンネルを検出するため、所望の人物が登場するチャンネルを直接的に認識できる。従って、目的とする所望の人物が登場するチャンネルの選択が正確になるので、視聴者は常に快適な放送波を再生して視聴できる効果を有する。
【００１２】
また、本願の請求項3に係る本発明の放送波選択用受信方法においては、予め所望の人物の音声データを登録し、この登録した音声データと受信された放送波の音声データとを比較して同一性を判別するだけでなく、他の人物の音声データとを比較して重み付けを行ない、所望の人物がどの程度の役割にあるかを考慮に入れることができる。従って、目的とする所望の人物が重要な役割として登場し視聴に値する番組だけを選択するので、視聴者にとって望ましいチャンネルの選択ができ、視聴者は常に快適な放送波を再生して視聴できる効果を有する。
【００１３】
また、本願の請求項４に係る放送波選択用受信方法においては、予め所望の人物の音声データを登録し、この登録した音声データと受信された放送波の音声データとを比較して同一性を判別し、この判別結果に基づいて所望の人物の登場する番組のチャンネルを検出するため、所望の人物が登場するチャンネルを直接的に認識できる。従って、目的とする所望の人物が登場するチャンネルの選択が正確になるので、視聴者は常に快適な放送波を再生して視聴できる効果を有する。
【発明を実施するための最良の形態】
【００１４】
本発明を実施するための最良の形態としては、以下に説明する実施例である。
【実施例】
【００１５】
本発明の実施例を図１、図２及び図３によって説明する。図１は本発明の実施例における放送波選択用受信システムを示すブロック図、図２は本発明の実施例における放送波選択用受信システムでの音声データ登録の動作を示すフローチャート、図３は本発明の実施例における放送波選択用受信システムの裏番組検索の動作を示すフローチャートである。
【００１６】
図１において、１は映像信号、音声信号からなる複数の放送番組を同時に受信するチューナ、２はチューナ１で受信された複数の放送波をそれぞれの目的に応じて選択する選択部、３は選択部２で選択された放送信号を再生する液晶ディスプレイ、ブラウン管等からなるモニター、４は選択部3を制御する制御部、５は操作部である。この操作部５は視聴者によって操作されるものであり、操作部５の出力が制御部４でもって選択部２を制御して再生すべきチャンネルを選択するようになっている。６はビデォテープレコーダ、ＨＤＤ装置等の記録部であり、視聴者による操作部５の操作によりモニター３で再生されている番組を記録するようになっている。７は音声データ登録部であり、視聴者による操作部５の操作により記録部6に記録されている番組の音声で人物の音声データを取り込んで登録するようになっている。８は判別部であり、音声データ登録部７に登録された音声データとチューナ１で受信されてモニター３で再生されていないチャンネルの音声データとを比較し同一性を判別するものである。９は検出部であり、判別部８で判別された同一性の内容を重み付けにより判断して一定条件以上で有るか否かを検出するものである。この条件とは同一番組中の他の人物の音声データのレベルであって、同一性があると判別された音声データが他の人物の音声データのレベルより大きい場合に第１の検出信号を発生し、小さい場合に第２の検出信号を発生する。そして、第１の検出信号は同一性のとられたチャンネルを特定するチャンネルデータを付して制御部４に送出されるようになっている。制御部４は、この第１の検出信号に基づき文字情報発生部１０を制御してモニター３上に当該チャンネルに登録された人物が登場されている旨の表示チャンネル数の表示と共に行なう。一方、第２の検出信号が得られた場合には、制御部４は、選択部２を制御して更に他のチャンネルの音声データを判別部８に供給し、上述したように登録された音声データとの同一性の判別を行なうようにする。
【００１７】
次に、上述した本発明の実施例の構成による音声データの登録の動作を図２のフローチャートを参照して説明する。この登録は、所望の人物が登場している番組を記録部６に記録するところから始まる。図２のステップS１で示すように、視聴者は、番組をモニター３で再生し目的とする人物が話をしている場面で操作部５により記録部６に登録操作を行なう。この登録操作により次のステップＳ２で示すように数１０秒程度の期間で音声データが音声データ登録部７に一旦取り込まれる。この取り込みは、ステップＳ３で示すように周波数解析によって人の音声として判別できるものだけである。一旦取り込まれた音声データは、視聴者によって再度再生して確認される。まず、ステップＳ４で示すように人物の音声データの有無が確認され、人物の音声データが有る場合は、次のステップＳ５で目的とする人物の音声データか否かの判断を行なう。この判断の結果、所望の人物の音声データが有る場合には、ステップＳ６で示すように目的とする人物の音声データか否かの確認をとる。この確認の結果、問題がなければ視聴者は操作部５を操作して次のステップ７で示すように目的とする音声データの登録を行なう。この登録の制御は、音声データを音声データ登録部７のメモリに記憶して比較の際に基準となる音声データとして登録することである。
【００１８】
このようにして音声データの登録がなされるが、ステップＳ４において、音声が無いと判断された場合には、そのまま終了となる。また、ステップＳ６において、目的とする人物の音声データが確認できなかった場合には、ステップＳ７において、他の人物の音声データの有無を判断する。そして、音声データが有ると判断された場合には、再度、ステップＳ５においてその内容を確認する。番組中には、所望の人物だけでなく他の人物の音声も混在していることが多いので、この場合には、この中から所望の人物の音声データを抜き出して登録することになる。複数の音声が重なっている場合は、周波数分析によって所望の人物の音声データだけを抽出する手段をとる必要がある。
【００１９】
所望の人物の音声データを登録後、その人物が登場する所謂、裏番組を検索してそのチャンネルを選局する。この動作について図３のフローチャートを参照して説明する。視聴者は、ステップＳ９で示すように、操作部５を操作し制御部４により音声データ登録部７から登録された音声データを読み出して判別部８に供給すると共に、選択部２で任意のチャンネルの裏番組を選択して判別部8に供給する。判別部８においては、ステップＳ１０で示すように裏番組の音声を音声データとして数１０秒間の一定期間だけ取得する。この取得された裏番組の音声データはステップＳ１１において人物の音声データの有無が解析され、次のステップＳ１２において人物の音声データの有無の検知がなされる。ステップＳ１２において、人物の音声データが有ることが検知されると、次のステップＳ１３において、判別部８により予め登録された音声データとの比較によって同一性の判別がなされる。この判別によって一致が得られたならば、音声データはステップ１４で示すように検出部９において条件を満たしたか否かが検出される。この条件とは同一番組中の他の人物の音声データに比して音声レベルの大小である。同一性があると判別された音声データが他の人物の音声データのレベルより大きい場合に第１の検出信号を発生し、そして、第１の検出信号は同一性のとられたチャンネルを特定するチャンネルデータを付して制御部４に送出されるようになっている。制御部４はこの第１の検出信号に基づきステップＳ１５で示すように文字情報発生部１０を制御してモニター３上に当該チャンネルに登録された人物が登場されている旨の表示がチャンネル数の表示と共になされる。視聴者はモニター３上の文字情報を見てステップＳ１６で示すようにそのチャンネルを選局するかどうか判断をする。選局した場合はステップＳ１７で示すようにモニター３上に目的とする所望の人物の登場する裏番組が再生される。
【００２０】
ステップＳ１２において、判別部８で音声の解析の結果、人物の音声データが無い場合にはステップＳ１０に戻り再び一定期間の音声の取り込みを行なう。また、ステップ１３において、判別部８で一致が得られない場合には検出部９が第２の検出信号を制御部４に送出する。そして、制御部４はステップＳ１８で示すように選択部２を制御して更に他の裏番組のチャンネル選択してステップＳ１０へと戻るようになる。このようにして、裏番組の音声データを判別部８に供給して上述したように登録された音声データとの同一性の判別がなされるようになっている。更に、ステップＳ１４において、判別部８で一致が得られても条件が満たされず第2の検出信号が制御部４に送出されると、制御部４はステップＳ１８で示すように選択部２を制御して更に他の裏番組のチャンネルを選択しステップＳ１０の動作へと戻す。ここで、裏番組中には、複数の音声が重なっている場合があるので周波数分析によって夫々の人物の音声を抜き出す必要がある。
【００２１】
上述した実施例によれば、予めチャンネル選択の目的とする所望の人物の音声データを予め音声データ登録部７に登録し、この登録された所望の人物の音声データと受信された放送波の音声データとを判別部８により同一性を判別するだけでなく、検出部９により他の人物の音声データとを比較して他の人物の音声データのレベルより大きい場合に第１の検出信号を発生させると共に、第１の検出信号に同一性のとられたチャンネルを特定するチャンネルデータを付して制御部４に送出させる。そして、制御部４が第１の検出信号に基づきステップＳ１５で示すように文字情報発生部１０を制御してモニター３上に当該チャンネルに登録された人物が登場されている旨の表示を行なうことができる。
【００２２】
従って、視聴者はモニター３上の文字情報を見てステップＳ１６で示すようにそのチャンネルを選局するかどうか判断をする。選局した場合はステップＳ１７で示すようにモニター３上に目的とする所望の人物が登場する裏番組を再生することができる。そして、この再生された番組は目的とする所望の人物が重要な役割として登場し視聴に値する番組だけとなる。
【００２３】
尚、上述した本発明の実施例においては、目的とする所望の人物の登録を音声データだけでなく、当該人物の人名をデータを音声データと併せて登録し、受信されるＥＰＧ（電子番組ガイド）の文字情報との対比をとって目的の番組を正確に検索するために活用するようにしてもよい。
【００２４】
尚また、上述した本発明の実施例においては、目的とする所望の人物の登録はその人物の音声データだけであったが、同時に他の音声データを合わせて登録してこれらの音声データを比較の基準にしてもよい。この他の音声データとは、目的とする人物と一体不可分に発生するタイトルコール、歌、音楽等である。このようにして、人物の登場する番組の特定をより精度よく特定することができる。
【００２５】
尚また、上述した本発明においては、裏番組に所望の人物が登場している旨をそのチャンネル表示と併せて表示するようにしたが、このチャンネルの番組を自動的にモニター3上に小画面で再生させるようにしてもよい等種々の形態をとることができる。
【００２６】
尚また、上述した本発明の実施例においては、例えば、音声データ登録部７、判別部８、検出部9等を別体としたが、これらを集積回路によって一体にしてもよい。
【００２７】
とすることができる。
【図面の簡単な説明】
【００２８】
【図１】図１は、本発明の実施例における放送波用選択受信システムを示すブロック図である。
【図２】図２は、本発明の実施例における音声登録の動作を示すフローチャートである。
【図３】図３は、本発明の実施例における裏番組の選択の動作を示すフローチャートである。
【符号の説明】
【００２９】
１                チューナ        
２                選択部
３                モニター
４                制御部
５                操作部
６                記録部
７                音声データ登録部
８                判別部
９                検出部
１０              文字情報発生部      
【図１】
2006013936.tif 000003
【図２】
2006013936.tif 000004
【図３】
2006013936.tif 000005